(57)【要約】      （修正有）【課題】飲料用缶に形成される印刷画像をより目立ちやすくする飲料用缶を提供する。【解決手段】飲料用缶には、筒状に形成され外周面を備える缶本体が設けられている。缶本体の外周面に対して印刷が行われ、缶本体の外周面には、印刷画像が設けられている。印刷画像には、情報表示領域２４０が設けられている。この情報表示領域２４０は、缶本体の周方向に沿って形成されるとともに缶本体の周長の半分を超える長さを有する。【選択図】図２
0003205505.tif 000002
【実用新案登録請求の範囲】
【請求項１】
筒状に形成され、外周面を備える缶本体と、
前記缶本体の前記外周面に設けられ、当該缶本体の周方向に沿って形成されるとともに当該缶本体の周長の半分を超える長さを有し、情報が表示された情報表示領域と、
を備える飲料用缶。
【請求項２】
前記情報表示領域は、前記缶本体の周方向に沿って形成されるとともに当該缶本体の周方向の略全域に設けられている請求項１に記載の飲料用缶。
【請求項３】
前記情報表示領域に設けられた文字列を構成する各文字は、前記缶本体の周方向に沿って並んで配置され、当該情報表示領域には、横書きの文字列が設けられている請求項１又は２に記載の飲料用缶。
【請求項４】
前記情報表示領域は、前記缶本体の上端部および下端部の少なくとも一方に設けられている請求項１乃至３の何れかに記載の飲料用缶。
【請求項５】
前記缶本体の前記外周面のうちの前記情報表示領域以外の箇所には、当該缶本体の周方向における位置が互いに異なる３個以上の商標が付されている請求項１乃至４の何れかに記載の飲料用缶。
【請求項６】
筒状に形成され、外周面を備える缶本体と、
前記缶本体の前記外周面に形成された印刷画像と、
を備え、
前記印刷画像には、前記缶本体の軸方向における一端部から他端部にかけて延びる縦筋状の像が含まれていない飲料用缶。
【請求項７】
筒状に形成され、外周面を備える缶本体と、
前記缶本体の前記外周面に形成され、絵柄画像を含んだ印刷画像と、
を備え、
前記印刷画像中の前記絵柄画像は、前記缶本体の周方向に連続して形成され当該缶本体の全周に亘って形成されている飲料用缶。
【請求項８】
前記絵柄画像には、前記缶本体の軸方向に沿って延び当該絵柄画像を分断する切れ目が設けられていない請求項７に記載の飲料用缶。
【請求項９】
飲料用缶と、当該飲料用缶に収容された内容物とを備え、当該飲料用缶が請求項１乃至８の何れかの飲料用缶により構成された飲料缶。
【考案の詳細な説明】
【技術分野】
【０００１】
本考案は、飲料用缶および飲料缶に関する。
【背景技術】
【０００２】
特許文献１には、ラベル基材の一側端部の外面にラベル基材の他側端部の内面を重ね合わせ、この重ね合わせ部を所定幅接着した筒状ラベルが開示されている。
【先行技術文献】
【特許文献】
【０００３】
【特許文献１】特開２００９−１４５３７０号公報
【考案の概要】
【考案が解決しようとする課題】
【０００４】
飲料缶の外周面には、一般的に印刷画像が形成され、消費者は、この印刷画像をもとに購入する商品の選択を行う。ここで、例えば、印刷画像が目立ちやすいと、目立ちにくい場合に比べ、この印刷画像が形成された飲料缶が選択される可能性が高まる。
本考案の目的は、飲料用缶に形成される印刷画像をより目立ちやすくすることにある。
【課題を解決するための手段】
【０００５】
本考案が適用される飲料用缶は、筒状に形成され、外周面を備える缶本体と、前記缶本体の前記外周面に設けられ、当該缶本体の周方向に沿って形成されるとともに当該缶本体の周長の半分を超える長さを有し、情報が表示された情報表示領域と、を備える飲料用缶である。
ここで、前記情報表示領域は、前記缶本体の周方向に沿って形成されるとともに当該缶本体の周方向の略全域に設けられていることを特徴とすることができる。
また、前記情報表示領域に設けられた文字列を構成する各文字は、前記缶本体の周方向に沿って並んで配置され、当該情報表示領域には、横書きの文字列が設けられていることを特徴とすることができる。
また、前記情報表示領域は、前記缶本体の上端部および下端部の少なくとも一方に設けられていることを特徴とすることができる。
また、前記缶本体の前記外周面のうちの前記情報表示領域以外の箇所には、当該缶本体の周方向における位置が互いに異なる３個以上の商標が付されていることを特徴とすることができる。
他の観点から捉えると、本考案が適用される飲料用缶は、筒状に形成され、外周面を備える缶本体と、前記缶本体の前記外周面に形成された印刷画像と、を備え、前記印刷画像には、前記缶本体の軸方向における一端部から他端部にかけて延びる縦筋状の像が含まれていない飲料用缶である。
さらに他の観点から捉えると、本考案が適用される飲料用缶は、筒状に形成され、外周面を備える缶本体と、前記缶本体の前記外周面に形成され、絵柄画像を含んだ印刷画像と、を備え、前記印刷画像中の前記絵柄画像は、前記缶本体の周方向に連続して形成され当該缶本体の全周に亘って形成されている飲料用缶である。
ここで、前記絵柄画像には、前記缶本体の軸方向に沿って延び当該絵柄画像を分断する切れ目が設けられていないことを特徴とすることができる。
また、本考案を飲料缶と捉えた場合、本考案が適用される飲料缶は、飲料用缶と、当該飲料用缶に収容された内容物とを備え、当該飲料用缶が上記の何れかの飲料用缶により構成された飲料缶である。
【考案の効果】
【０００６】
本考案によれば、飲料用缶に形成される印刷画像をより目立ちやすくすることができる。
【図面の簡単な説明】
【０００７】
【図１】飲料用缶の斜視図である。
【図２】缶本体の外周面に形成された印刷画像の展開図である。
【図３】印刷画像の他の例を示した図である。
【図４】飲料用缶の比較例を示した図である。
【図５】比較例における印刷画像の展開図である。
【図６】（Ａ）、（Ｂ）は、陳列装置を示した図である。
【考案を実施するための形態】
【０００８】
以下、添付図面を参照して、本考案の実施形態について説明する。
図１は、本実施形態に係る飲料用缶１００の斜視図である。なお、図１では、飲料用缶１００の詳細な形状の図示は省略し、有底円筒で表現した。より具体的には、飲料用缶１００には、一般的に、フランジ部およびネック部が設けられたり、飲料用缶１００のボトムには、一般的に、飲料用缶１００の内部方向に凹む円形の凹部が設けられたりするが、これらの図示は省略している。
本実施形態の飲料用缶１００には、円筒状に形成された缶本体２００が設けられている。
缶本体２００の上部には、円形の開口２１０が形成されている。また、缶本体２００の下部には、底部２２０が設けられている。また、缶本体２００は、外周面２３０を備える。
外周面２３０には、インクジェットヘッドによる印刷が施され、外周面２３０には、印刷画像が形成されている。
【０００９】
本実施形態では、缶本体２００の上部に位置する開口２１０を通じて、缶本体２００の内部に、内容物である飲料が充填される。その後、この開口２１０は、不図示の缶蓋により塞がれる。これにより、飲料が充填された飲料缶が完成する。
【００１０】
缶本体２００は、金属材料により形成される。具体的には、缶本体２００は、例えば、アルミニウム、アルミニウム合金等により形成される。また、缶本体２００は、例えば、ティンフリースチールなどの鉄合金等により形成される。
また、缶本体２００は、例えば、平板状の板材を、ドロー＆アイアニング（ＤＩ）成形や、ストレッチドロー成形することにより形成される。
缶本体２００の内部に充填される飲料としては、例えば、ビール等のアルコール系飲料や、清涼飲料などの非アルコール系飲料が挙げられる。
【００１１】
図２は、缶本体２００の外周面２３０に形成された印刷画像の展開図である。
本実施形態では、印刷画像は、いわゆるインクジェット印刷により形成される。
具体的には、缶本体２００を周方向に回転させるとともに、缶本体２００の軸方向に沿って延びるインクジェットヘッド（不図示）から缶本体２００の外周面２３０に向けてインクを吐出することにより、缶本体２００の外周面２３０に印刷画像が形成される。
【００１２】
印刷画像は、缶本体２００の周方向に沿って延び帯状に形成される。
さらに、印刷画像には、情報が表示された情報表示領域２４０が設けられている。情報表示領域２４０は、缶本体２００の周方向に沿って帯状に形成されている。
さらに、情報表示領域２４０は、図２にて示す印刷画像の図中左端部から図中右端部にかけて設けられている。これにより、情報表示領域２４０は、缶本体２００の周方向の略全域に設けられることになる。
なお、本実施形態では、缶本体２００の周方向の略全域に情報表示領域２４０が設けられる場合を一例に説明したが、情報表示領域２４０の長さはこれに限らず、例えば、缶本体２００の周長の半分を超える長さとしてもよい。
【００１３】
情報表示領域２４０には、文字列２４１が設けられている。
文字列２４１を構成する各文字は、図中横方向に並んで配置され、缶本体２００の周方向に沿って並んで配置される。
言い換えると、本実施形態では、情報表示領域２４０には、横書きの文字列２４１が設けられている。さらに、文字列２４１は、複数行分の文字列により構成されている。
【００１４】
文字列２４１内には、商品の原材料、アルコールの含有割合、内容量、製造者、賞味期限等を示す文字列が設けられている。さらに、文字列２４１内には、ＵＲＬや、電話番号などの連絡先を示す文字列が設けられている。さらに、文字列２４１内には、符号２４１Ａで示すように、注意事項を記した文字列が設けられている。
なお、文字列２４１内には、その他に、製造場の所在地、酒類の品目、保存方法についての文字列が設けられることもある。また、「開缶後はすぐにお飲みください」等の注意事項を記した文字列が設けられることもある。
【００１５】
さらに、情報表示領域２４０には、内容物についての栄養成分表示２４２、リサイクルマーク２４３、バーコード２４４が設けられている。
また、本実施形態の情報表示領域２４０は、缶本体２００の下端部に設けられている。なお、情報表示領域２４０は、缶本体２００の下端部に限らず、缶本体２００の上端部に設けてもよい。また、情報表示領域２４０は、缶本体２００の上端部および下端部に設けてもよい。
【００１６】
さらに、本実施形態では、情報表示領域２４０の上方に、絵柄画像２４５が設けられている。本実施形態では、この絵柄画像２４５は、ビル群を写した写真画像により構成されている。絵柄画像２４５は、缶本体２００の周方向に連続して形成され缶本体２００の全周に亘って形成されている。言い換えると、本実施形態では、絵柄画像２４５を分断する切れ目であって缶本体２００の軸方向に沿って延びる切れ目が設けられていない。
絵柄画像２４５に切れ目が設けられていない場合、例えばパノラマの景色等、３６０°の連続画像を表示できる。
【００１７】
さらに、本実施形態では、情報表示領域２４０の上部に（情報表示領域２４０以外の箇所に）、商品名を表わす３個の商標２４６が設けられている。
具体的には、「ＡＢＣ  Ｄｒａｆｔ  Ｂｅｅｒ」という３個の商標２４６が設けられている。なお、商標２４６の数は、３個に限らず、４個以上としてもよい。
【００１８】
３個の商標２４６は、缶本体２００の周方向における位置が互いに異なるように配置されている。具体的には、３個の商標２４６は、缶本体２００の周方向において、１２０°おきに配置されている。
これにより、商標２４６が１個や２個である場合に比べ、商品（飲料缶）の陳列時に、商標２４６が、商品の購入者側に向く可能性が高まる（詳細は後述）。
【００１９】
なお、図２では、情報表示領域２４０の背後に絵柄画像を設けず、情報表示領域２４０の背後を無地としたが、図３（印刷画像の他の例を示した図）に示すように、情報表示領域２４０の背後を無地とせず、情報表示領域２４０の背後に絵柄画像を設けてもよい。
【００２０】
図４は、飲料用缶１００の比較例を示した図である。また、図５は、比較例における印刷画像の展開図である。
この比較例では、いわゆる刷版印刷によって、缶本体２００の外周面２３０に印刷画像が形成される。具体的には、円筒状の版を缶本体２００の外周面に押し当てることで、印刷画像を缶本体２００の外周面２３０に形成する。
【００２１】
刷版印刷では、画像が形成されない空白領域の発生を防止するため、印刷開始時に印刷される部分と、印刷終了時に印刷される部分とを重ね合わせる。
この場合、缶本体２００の外周面２３０には、図４の符号４Ａで示すように、缶本体２００の軸方向における一端部から他端部にかけて延びる縦筋状の像（以下、「縦筋画像」と称する）が形成される。
【００２２】
具体的には、缶本体２００に対する刷版印刷では、各色毎に用意した版（凸版・水無平版）に載ったインクを、ブランケットに一旦転写し、このブランケットを缶本体２００の外周面２３０に押し当てる。さらに、ブランケットおよび缶本体２００を１回転させる。
これにより、缶本体２００の外周面２３０にインクが転写され、缶本体２００の外周面２３０に印刷画像が形成される。
【００２３】
刷版印刷では、缶本体２００の径のバラツキに起因する未印刷部分の発生を防ぐため、ある程度のオーバーラップ部（二重印刷部）を必要とする。
言い換えると、ブランケットから缶本体２００にインクを転写させる際には、缶本体２００を、（１＋α）回転させて、缶本体２００にインクを転写する。この場合、上記にて説明した縦筋画像が形成されてしまう。
【００２４】
また、缶本体２００の径には、寸法公差等に起因する許容範囲内のバラツキがあり、オーバーラップ部の幅は一定とはならない。かかる場合、オーバーラップ部での画像の形成は困難となる。言い換えると、オーバーラップ部にて画像を形成しようとしても、オーバーラップ部の幅は一定ではなく、形成される画像は変化してしまう。かかる場合、オーバーラップ部に形成される画像の質を保てず、オーバーラップ部での画像の形成は困難となる。
【００２５】
ここで、図４、図５にて示した比較例では、縦筋画像を目立ちにくくするため、図４、図５に示すように、この縦筋画像の横に、縦筋画像の沿う縦長の第１情報表示領域２７１を設けている。
縦筋画像の横に何ら画像が存在せず、縦筋画像の横の画像が無地の画像であると、縦筋画像が目立ちやすくなり、印刷画像の全体の質が低下するおそれがある。縦筋画像の横に第１情報表示領域２７１を設けると、縦筋画像が目立ちにくくなり、印刷画像の全体の質の低下を抑制できる。
【００２６】
さらに、この比較例では、図５に示すように、缶本体２００の周方向において第１情報表示領域２７１とは１８０°ずれた箇所に、第２情報表示領域２７２を設けている。
第１情報表示領域２７１に全ての情報を含めようとすると、第１情報表示領域２７１の幅が大きくなり、第１情報表示領域２７１が目立ってしまう。
このため、この比較例では、情報表示領域を、第１情報表示領域２７１と第２情報表示領域２７２の２つの領域に分け、さらに、各情報表示領域の設置位置をずらしている。
【００２７】
さらに、比較例では、図５に示すように、第１情報表示領域２７１と第２情報表示領域２７２との間に位置する２つの領域のそれぞれに商標２７３を付し、２つの商標２７３を設けている。そして、この２つの商標２７３は、第１情報表示領域２７１、第２情報表示領域２７２と同様に、１８０°のずれを有した状態で設置されている。
【００２８】
比較例では、上記のとおり、縦筋画像が形成される。かかる場合、缶本体２００の外周面２３０上に、周方向に連続する絵柄画像を形成しようとしても、この絵柄画像は、縦筋画像により分断されてしまう。そして、この場合、周方向に沿う連続状の絵柄画像の形成は困難となる。
【００２９】
これに対し、図２等にて示した本実施形態の印刷画像では、縦筋画像が存在しない。より具体的には、本実施形態では、缶本体２００への印刷開始から缶本体２００が３６０°回転すると、インクジェットヘッドによる印刷を終了する。付言すると、本実施形態では、例えば、電子式カムスイッチを用いて回転角度の制御を行い、印刷開始から缶本体２００が１回転すると印刷を終了する。これにより、オーバーラップ部の発生が抑えられ、縦筋画像が生じないようになる。
そして、この場合、絵柄画像２４５（図２参照）の分断が防ぐことができ、缶本体２００の周方向に連続する絵柄画像２４５を形成できる。
【００３０】
さらに、本実施形態では、縦筋画像が存在しないため、縦方向に沿って延びる（缶本体２００の軸方向に沿って延びる）情報表示領域を、縦筋画像の脇に形成しないで済む。
付言すると、図５にて示した第１情報表示領域２７１、第２情報表示領域２７２のような情報表示領域を形成しないで済む。
そして、本実施形態では、縦筋画像の脇に情報表示領域を形成するのに換えて、上記のとおり、缶本体２００の下端部に、缶本体２００の周方向に沿って延びる情報表示領域２４０（図２参照）を形成する。
【００３１】
これにより、本実施形態では、缶本体２００の周方向に沿う連続状の絵柄画像２４５（図２参照）を形成できるようになり、缶本体２００に形成される印刷画像をより目立ちやすいものにできる。
比較例のように、情報表示領域が縦方向に延びるように形成されていると、この情報表示領域によって、絵柄画像が分断される。この場合、絵柄画像が小さくなり、絵柄画像が連続状に形成される場合に比べ、絵柄画像が目立ちにくくなる。
【００３２】
さらに、本実施形態では、情報表示領域２４０を、缶本体２００の周方向に沿うように且つ缶本体２００の下端部に形成することで、商標の設置数を増やせる。
比較例では、第１情報表示領域２７１、第２情報表示領域２７２があるために、商標の設置数が２つであったが、本実施形態では、第１情報表示領域２７１、第２情報表示領域２７２が存在せず、情報表示領域２４０が缶本体２００の下端部にまとめて配置される。これにより、商標を設置する空間を拡げることができ、本実施形態のように、商標２４６を３つ設けることができるようになる。
【００３３】
本実施形態のように、３つの商標２４６を設けることができる場合、商品（飲料缶）の陳列時に、商標２４６が、商品の購入者側に向く可能性が高まる。
コンビニエンスストア等では、飲料缶の陳列時、飲料缶の外周面のいずかの部位が、商品の購入者側を向く。この場合、本実施形態のように、１２０°おきに商標２４６が設けられていると、商標２４６が購入者側を向く可能性が高まる。
図５にて示した比較例では、１８０°おきに商標２７３が設けられており、この場合、飲料缶の陳列時に商標２７３が横を向き、第１情報表示領域２７１や第２情報表示領域２７２が購入者側を向くことも起こりうる。
【００３４】
さらに、本実施形態のように、缶本体２００の下端部に、情報表示領域２４０が設けられていると、情報表示領域２４０が目立ちにくくなる。
ここで、コンビニエンスストア等では、例えば、図６（陳列装置を示した図）に示す陳列装置９００により、飲料缶が販売されることがある。
【００３５】
陳列装置９００では、購入者に近い側に、移動してきた飲料缶を停止させる停止板５００が設けられる。そして、この場合、停止板５００の背後に情報表示領域２４０が位置するようになり、情報表示領域２４０が目立ちにくくなる。
その一方で、絵柄画像２４５（図２参照）は、停止板５００よりも上方に位置し目立ちやすくなる。
【００３６】
なお、上記にて説明した飲料用缶１００は一例であり、上記にて説明した飲料用缶１００とは直径や高さ寸法が異なる飲料用缶１００であっても、上記と同様の効果を奏することが可能となり、本考案の技術的範囲に属する。
【符号の説明】
【００３７】
１００…飲料用缶、２００…缶本体、２３０…外周面、２４０…情報表示領域、２４１…文字列、２４５…絵柄画像、２４６…商標
【図１】
0003205505.tif 000003
【図２】
0003205505.tif 000004
【図３】
0003205505.tif 000005
【図４】
0003205505.tif 000006
【図５】
0003205505.tif 000007
【図６】
0003205505.tif 000008